(57)【要約】【課題】ユーザが所持する携帯端末のセキュリティロックを利用し、セキュリティ性を確保しつつ、ゲート制御時における認証データの都度入力を極力省略すること。【解決手段】セキュリティロックが設定された携帯端末１０を認証キーとして利用し、ゲート制御時に入力したゲート制御用認証データの再入力要求の条件として、セキュリティロックが最後に解除されたときからの経過時間（ロック解除経過時間）から所定の追加認証要求時間を超えたときのみ、ユーザに対してゲート制御用認証データの再入力要求を行う。【選択図】図１
2016136353.tif 000002
【特許請求の範囲】
【請求項１】
管理エリア内に設置されるゲートを制御するゲート制御装置と、
前記ゲート制御装置との間で近距離無線通信によって鍵データの通信を行うユーザが所持する携帯端末と、を備え、
ゲート制御時に入力するゲート制御用認証データが正常認証済みの状態の前記携帯端末が、前記ゲート制御装置の検知範囲内に進入したときに、前記ゲート制御装置との間で近距離無線通信により鍵データを送信し、前記ゲート制御装置が前記携帯端末から受信した前記鍵データを正常認証したときに前記ゲートを制御するゲート制御システムにおいて、
前記携帯端末は、端末機能の無断使用防止用に設定されたセキュリティロックが最後に解除されてからの経過時間をロック解除経過時間としてカウントし、
このカウントした前記ロック解除経過時間が、予め設定された追加認証要求時間を超えたときは、追加認証として前記ゲート制御用認証データの再入力要求のみを行うことを特徴とするゲート制御システム。
【発明の詳細な説明】
【技術分野】
【０００１】
本発明は、ユーザの電気的操作により管理エリアに設置される各種ゲートを開閉可能な状態又は開扉／閉扉状態にするゲート制御システムに関するものである。
【背景技術】
【０００２】
例えば住宅（戸建、マンションなどの集合住宅）や各種施設（ホテルや医療機関などの公共施設、オフィスビルやレンタルオフィスなどの商業施設、各種研究を行う研究施設）における共用部又は専有部の出入口に設置される各種ゲートを開閉可能な状態又は開扉／閉扉状態とするため、通常の鍵穴挿入式の金属製鍵に代わり、例えばユーザが所持する各種携帯型通信端末（例えば携帯電話、スマートフォン、ウェアラブルデバイスなど）を使ったゲート制御システムが提案されている。
【０００３】
このゲート制御システムは、ユーザが所持する携帯型通信端末とゲートに対応するリーダーとの間で予め記憶する認証用データ（制御対象となるゲートＩＤやユーザを特定するユーザＩＤを含み、錠の施解錠やゲートの開閉制御に必要な情報）の送受信を近距離無線通信（ＮＦＣ（Near Field Communication）やブルートゥース（登録商標））を利用し、認証用データの正否判断によってゲートを制御している（例えば、非特許文献１を参照）。
【先行技術文献】
【特許文献】
【０００４】
【非特許文献１】「ＩＥＬ  ｉｎｔｅｌｌｉｇｅｎｔ  Ｅｌｅｃｔｒｉｃ  Ｌｏｃｋ  マンション用インテリジェント電気錠」、美和ロック株式会社、２０１４年７月版、ｐ．１８−１９
【発明の概要】
【発明が解決しようとする課題】
【０００５】
ところで、上記文献に開示されるゲート制御システムでは、携帯端末に対し予め暗証番号のような認証データを設定しておき、ゲート制御時に設定した認証データを入力し照合することで、万が一携帯端末を紛失したとしても無断使用されないようにセキュリティ性が確保される仕様となっているが、ゲート制御の都度、携帯端末を操作して認証データを入力しなければならず煩雑であった。
【０００６】
そこで、本発明は上記問題点に鑑みてなされたものであり、セキュリティ性を確保しつつ、ゲート制御時における認証データの都度入力を極力省略することのできるゲート制御システムを提供することを目的とするものである。
【課題を解決するための手段】
【０００７】
上記した目的を達成するために、請求項１記載のゲート制御システムは、管理エリア内に設置されるゲートを制御するゲート制御装置と、
前記ゲート制御装置との間で近距離無線通信によって鍵データの通信を行うユーザが所持する携帯端末と、を備え、
ゲート制御時に入力するゲート制御用認証データが正常認証済みの状態の前記携帯端末が、前記ゲート制御装置の検知範囲内に進入したときに、前記ゲート制御装置との間で近距離無線通信により鍵データを送信し、前記ゲート制御装置が前記携帯端末から受信した前記鍵データを正常認証したときに前記ゲートを制御するゲート制御システムにおいて、
前記携帯端末は、端末機能の無断使用防止用に設定されたセキュリティロックが最後に解除されてからの経過時間をロック解除時間としてカウントし、前記ロック解除経過時間が予め設定された追加認証要求時間を超えたときは、追加認証としてゲート制御用認証データの再入力要求のみを行うことを特徴とする。
【発明の効果】
【０００８】
本発明の発明によれば、ゲート制御時に入力するゲート制御用認証データが正常認証された後、ユーザが所持する携帯端末に設定したセキュリティロックを最後に解除してから経過したロック解除経過時間が、所定の追加認証要求時間を経過したときにのみゲート制御用認証データの再入力要求がなされるため、日常生活において携帯端末を通常通り使用しているだけでゲート制御用認証データの入力の手間を極力省くことができる。つまり、セキュリティロックのロック解除経過時間が追加認証要求時間を超えない限りは、ゲート制御時におけるゲート制御用認証データの入力処理が不要となり、システムの利便性が格段に向上する。
【０００９】
また、万が一、携帯端末を紛失したとしても、セキュリティロックのロック解除経過時間が追加認証要求時間を超過している場合は、鍵データの送信が行われないため、不正な解錠を防止することができる。
【図面の簡単な説明】
【００１０】
【図１】本発明に係るゲート制御システムの構成を示す概略ブロック図である。
【発明を実施するための形態】
【００１１】
以下、本発明を実施するための形態について、添付した図面を参照しながら詳細に説明する。なお、この実施の形態によりこの発明が限定されるものではなく、この形態に基づいて当業者などによりなされる実施可能な他の形態、実施例及び運用技術などは全て本発明の範疇に含まれる。
【００１２】
［システム構成について］
まず、本発明に係るゲート制御システムの構成について説明する。
図１に示すように、ゲート制御システム１は、ゲート３０の制御時に認証キーとして使用されるユーザが所持する携帯端末１０と、管理対象となる管理エリア内における共用部や専有部のゲート３０又はゲート３０近傍に設けられるゲート制御装置２０とで概略構成され、ゲート制御時に入力するゲート制御用認証データが正常認証された状態の携帯端末１０から制御対象となるゲート３０の制御に必要な鍵データをゲート制御装置２０に送信し、ゲート制御装置２０によって鍵データが正常認証されたときにゲート３０の制御を行っている。
【００１３】
本発明のゲート制御システム１における「管理エリア」とは、例えば住宅（戸建、マンションなどの集合住宅）や各種施設（ホテルや医療機関などの公共施設、オフィスビルやレンタルオフィスなどの商業施設、各種研究を行う研究施設）を含む建物、この種の建物内で分割されたエリア（階数によるエリア分割や同フロア内における分割は問わない）、複数棟からなる建物群、建物とその周辺施設を含むエリアのような、管理業者（管理形態は単独の管理業者による管理、分割された各エリアに応じて複数の管理業者が混在する場合も含む）が管理対象とするエリアである。
【００１４】
また、図１に示すように、管理エリア内には、ユーザが所持する携帯端末１０の電気的操作によって制御対象であるゲート３０（開き戸、引き戸、折り戸などの一般的な扉の他、自動ドア、回転ドア、自動改札機や入退出管理ゲートのような開閉体も含む）を開閉可能な状態若しくは開扉／閉扉するゲート制御装置２０が複数箇所に設置される。
【００１５】
なお、本例のゲート制御システム１の運用モードとして、例えばＮＦＣ（Near Field Communication）のような通信範囲が数ｃｍ〜数十ｃｍ程度の極短距離の通信エリアを利用し、ゲート制御時に携帯端末１０をゲート制御装置２０の情報通信部２１に翳す（近接させる）ことでゲート３０を制御する「近接モード」と、例えばブルートゥース（登録商標）のような数ｍ〜数十ｍ程度の短距離の通信エリアを利用してユーザが所持するバッグなどに携帯端末１０を携帯した状態でゲート制御装置２０の検知範囲内に進入することでゲート３０の制御を行う「ハンズフリーモード」を有する。また、各モードは、ユーザ各自が利便性を考慮して選択可能となっている。
【００１６】
＜携帯端末について＞
携帯端末１０は、ユーザが所持する携帯型通信端末（例えば携帯電話、スマートフォン、ウェアラブルデバイスなど）であり、一般的な携帯型通信端末の機能（例えば、電話機能、メール機能、各種コンピュータネットワークを用いた通信機能、カメラ機能）を有している。なお、以下の説明では、携帯端末１０としてスマートフォンを使用した例で説明する。
【００１７】
また、携帯端末１０は、ゲート制御システム１を運用するのに必要な構成として、近距離無線通信部１１と、キー制御部１２と、キー記憶部１３と、表示部１４と、入力操作部１５とを備えており、キー記憶部１３に記憶されるゲート制御用のアプリケーションプログラム（ゲート制御アプリ）を起動して上記各部を駆動制御することでゲート制御システム１の認証キーとして機能する。
【００１８】
近距離無線通信部１１は、ゲート制御装置２０との間で近距離無線通信（Near Field Communication：ＮＦＣ）によるゲート制御用認証用データの通信を行う。そのため、例えばＭｉＦａｒｅ（ＩＳＯ／ＩＥＣ  １４４４３）やＦｅｌｉＣａ（ＩＳＯ／ＩＥＣ  １５４０８）などの電磁界や電波を用いて数ｃｍ程度の距離で無線通信可能とするＲＦＩＤタグ（Radio Frequency Identification Tag）や、ブルートゥース（登録商標）などの数ｍ〜数十ｍの距離で無線通信可能とするモジュールなどの各種近距離無線デバイスで構成されている。
【００１９】
なお、近距離無線デバイスとして機能するＲＦＩＤタグには、複数の電子素子が乗った回路基板で構成されるものに加え、近年実用化されている小さなワンチップのＩＣ（集積回路）で構成されたＩＣタグも含まれる。また、近距離無線通信の仕様としては、パッシブタイプ（受動タイプ）、アクティブタイプ（能動タイプ）、パッシブタイプ及びアクティブタイプの双方を組み合わせたセミアクティブタイプ（起動型能動タイプ）を問わない。
【００２０】
キー制御部１２は、例えばＣＰＵ（Central Processing Unit ）やＲＯＭ（Read Only Memory），ＲＡＭ（Random Access Memory）又はこれらの機能を具備するＭＰＵ（Micro-Processing Unit ）などのプロセッサで構成され、キー記憶部１３に記憶される各種駆動制御プログラムを実行して通常の携帯型通信端末としての機能させる制御（例えば、端末機能の無断使用防止用に設定されたセキュリティロックに関する処理）の他、キー記憶部１３に記憶されるゲート制御アプリの処理シーケンスに従って、携帯端末１０が認証キーとして機能するように携帯端末１０を構成する各部の駆動制御を行う。
【００２１】
ゲート制御アプリの起動によるキー制御部１２の処理内容としては、ゲート制御時にゲート制御用認証データが正しく入力されたか否かを認証する処理と、ゲート制御装置２０との間で近距離無線通信が行えるようにゲート制御装置２０からの呼び掛け信号に対する応答信号を送信してゲート制御装置２０との間で通信状態を確立する処理、通信状態確立後にゲート制御装置２０から送信されたデータ要求信号に対する応答として鍵データを送信する処理、予め携帯端末１０に設定されたセキュリティロックが最後に解除されてからの経過時間（ロック解除経過時間）をカウントする処理、カウントしたロック解除経過時間がキー記憶部１３に記憶される追加認証要求時間を超えているか否かを判断する処理と、カウントしたロック解除経過時間が追加認証要求時間を超えているときにユーザに対しての追加認証処理（ゲート制御用認証データの再入力）を要求する処理、追加認証要求処理によって追加認証されたことを確認したときに鍵データを送信する処理がある。
【００２２】
本システムでは、ゲート制御時に入力するゲート制御用認証データの入力頻度を可能な限り少なくしてユーザの負担軽減を図ることを目的としている。
そのため、ゲート制御用認証データを入力した後、ゲート制御の都度ゲート制御用認証データを入力する代わりとしてユーザが携帯端末１０に設定したセキュリティロックを利用している。また、従来であれば、ゲート制御時の都度、ゲート制御用認証データの入力操作を必要としたが、本システムではゲート制御用認証データの再入力要求の条件として、ユーザが使用する携帯端末１０に設定したセキュリティロックを解除してからカウントされたロック解除経過時間が所定の追加認証要求時間を超えたときのみ、ユーザに対してゲート制御用認証データの入力要求を行っている。
【００２３】
このため、ゲート制御用認証データが認証済み状態のまま携帯端末１０を紛失したとしても、セキュリティロックの効果により携帯端末１０が無断でゲート制御に利用されることがない。さらに、セキュリティロックが解除できるということは、携帯端末１０が不正に使用されている可能性が極めて低いため、正当なユーザによりゲート制御されていると判断することができるという効果も奏している。
【００２４】
また、ユーザが携帯端末１０を操作する際に、セキュリティロックを解除してからのロック解除経過時間が追加認証要求時間内であればゲート制御用認証データの入力操作を行わずにゲート制御処理を行うことができる。つまり、最初のゲート制御時にゲート制御用認証データを入力してその後追加認証要求時間の範囲を超えないタイミングでセキュリティロックを解除し続ける限り、ゲート制御の都度ゲート制御用認証データを入力する必要がなくなり利便性が向上する。
【００２５】
なお、本例のシステムにおいて、ゲート制御アプリはゲート制御装置２０から送信された呼び掛け信号の受信をトリガとして起動する構成とするが、バックグラウンドで常時起動する構成やユーザが使用の都度起動する構成としてもよい。
【００２６】
キー記憶部１３は、例えばＥＥＰＲＯＭやフラッシュメモリなどの不揮発性メモリやＤＲＡＭやＳＤＲＡＭなどの揮発性メモリを含む各種半導体メモリで構成され、携帯端末１０を通常の携帯型通信端末としての機能させるために必要な各種駆動制プログラムの他、ゲート制御システム１を使用する上で必要なゲート制御用の処理シーケンスを実行させるためのゲート制御アプリが記憶（インストール）されている。
【００２７】
また、キー記憶部１３は、ゲート制御時にゲート制御装置２０へ送信する認証用の鍵データを記憶している。鍵データは、少なくとも制御対象となるゲート３０を制御するのに必要な認証用ＩＤ（例えばゲートを特定するゲートＩＤやユーザを特定するユーザＩＤ）が含まれている。なお、鍵データには、必要に応じて例えばゲート制御時の日時情報のようなデータを含めてもよい。
【００２８】
また、キー記憶部１３は、携帯端末１０のセキュリティ機能として設定されたセキュリティロックを解除するための情報としてロック解除データと、正規のユーザによる正常なゲート制御が行われていることの確認と、携帯端末１０を紛失したときの無断使用を防止するために設定されるゲート制御用認証データとを記憶している。ロック解除情報やゲート制御用認証データは、例えば、「ＰＩＮ（Personal Identification Number）方式」で採用される例えば英数字や記号又はこれらの任意の組合せからなる認証コード、「パターン方式」で採用される所定数のドットの軌跡パターン、「生体認証方式」で採用される例えば指紋、顔、血管（静脈）、音声などの生体情報の中から任意に選択された情報であり、ユーザによって個別に設定される。
【００２９】
また、キー記憶部１３は、ユーザが携帯端末１０に設定したセキュリティロックが最後に解除されてからのロック解除経過時間が、追加認証を必要とする時間だけ経過したか否かを判断するための追加認証要求時間を記憶している。
【００３０】
また、携帯端末１０を操作すると必然的にセキュリティロックが解除されるため、追加認証要求時間は、ユーザが携帯端末１０を使用する頻度や操作時間に応じて適宜設定する必要がある。例えば、本システムを自宅で利用する場合、携帯端末１０の使用頻度が高いユーザであれば、携帯端末１０を使用しない大凡の時間（例えば３時間）を設定し、携帯端末１０の使用頻度の低いユーザであれば、外出してから帰宅するまでの大凡の時間（例えば１２時間）を設定すればよい。
【００３１】
なお、追加認証要求時間の間に携帯端末１０のセキュリティロックが解除されると、解除されたときからロック解除経過時間が一旦リセットされ、再カウントが始まる。また、携帯端末１０のセキュリティロックを利用するとはいえ、セキュリティ上の観点から、追加認証要求時間は最大で一日（２４時間）程度に設定するのが好ましく、また設定する時間は短い方がより好ましい。
【００３２】
表示部１４は、例えば液晶ディスプレイ（Liquid Crystal Display：ＬＣＤ）やＥＬディスプレイ（electroluminescence display ：ＥＬＤ）やなどの表示領域を有するディスプレイ装置で構成され、キー制御部１２の制御により、セキュリティロックの入力に関する表示内容（セキュリティロックやゲート制御用認証データの入力方式に応じた画面表示やロック解除操作に伴うロック解除／未解除の表示）や、ゲート制御アプリの駆動に伴って連動表示される表示内容の他、携帯端末１０の駆動に必要な各種表示内容を表示領域上に表示している。
【００３３】
入力操作部１５は、例えばテンキーや選択ボタンなどの操作キー、表示部１４の表示画面上のソフトキーからなるタッチパネルなどのＵＩ（User Interface）などの各種入力機器で構成され、ユーザによって入力機器が所定操作されると、その操作内容に応じた操作情報をキー制御部１２に出力している。
【００３４】
また、入力操作部１５は、セキュリティロックの解除時に入力されるロック解除データやゲート制御用認証データの入力操作時に操作される入力モジュールを備えている。例えば、セキュリティロックやゲート制御用認証データがＰＩＮ方式やパターン方式のときはタッチパネルや操作キーなどが入力モジュールとして機能し、セキュリティロックが生体認証方式の場合は顔認証であれば搭載されるカメラ、静脈認証であれば近赤外線センサ、指紋認証であれば電気光学式又は静電容量式センサなどが入力モジュールとして機能する。
【００３５】
なお、入力操作部１５を介して入力されたロック解除データやゲート制御用認証データは、キー制御部１２において所定のデータ解析処理を経て、正当なデータであるか否かの判定処理が行われることになる。
【００３６】
＜ゲート制御装置について＞  
ゲート制御装置２０は、図１に示すように、情報通信部２１と、ゲート側制御部２２と、ゲート側記憶部２３と、ゲート駆動機構２４と、電源部２５とを備えている。ゲート制御装置２０は、管理エリア内においてユーザが出入する各種ゲート３０に設けられた駆動対象となるゲート３０の開閉に係る制御を行う装置である。
【００３７】
なお、ゲート制御装置２０の設置数は、単数又は複数の何れでもよく、また装置形態としては、スタンドアロン型又は不図示の管理装置との間で通信可能（接続方法は有線・無線を問わない）に接続され管理されるネットワーク接続型の何れでもよい。
【００３８】
情報通信部２１は、各種近距離無線通信（ＮＦＣ、ブルートゥース（登録商標）など）を利用して携帯端末１０との間で鍵データの送受信が可能なリーダーとして機能する各種通信機器で構成され、制御対象となる対応する各ゲート３０の近傍又はゲート３０の所定箇所に設置される。情報通信部２１は、携帯端末１０との間で通信状態を確立させるため、一定周期で通信形態毎に設定される所定の通信範囲内に近接する携帯端末１０に対してポーリングを行っており、携帯端末１０が通信範囲内に近接した際にゲート制御アプリを起動させる呼び掛け（呼び掛け信号の送信）を行っている。
【００３９】
また、情報通信部２１は、携帯端末１０との間で通信状態が確立するとデータ要求信号を携帯端末１０に送信する。さらに、情報通信部２１は、送信したデータ要求信号に対する応答として鍵データを受け取ると、この受け取った鍵データをゲート側制御部２２に出力する。
【００４０】
なお、情報通信部２１は、携帯端末１０との間の通信を行う方法として上記のような所定周期でポーリングを行う方法の他、省電力化を図る目的として通信の意思を確認するため、ゲート制御装置２０の所定箇所に設けた不図示の操作ボタンが操作されたときにのみ通信を行う構成とすることもできる。
【００４１】
ゲート側制御部２２は、例えばＣＰＵ（Central Processing Unit ）やＲＯＭ（Read Only Memory），ＲＡＭ（Random Access Memory）又はこれらの機能を具備するＭＰＵ（Micro-Processing Unit ）などのプロセッサで構成され、ゲート制御装置２０を構成する各部の駆動制御や電源供給制御を行っている。
【００４２】
ゲート側制御部２２が実施するゲート制御処理としては、情報通信部２１の検知範囲内に進入した携帯端末１０に対して通信を確立させるために呼び掛け信号を送信する処理と、呼び掛け信号を送信した携帯端末１０からの応答信号を確認したときにデータ要求信号を携帯端末１０に送信する処理と、携帯端末１０から受信した鍵データに含まれる認証用ＩＤとゲート側記憶部２３に記憶される認証用ＩＤとを照合し、認証用ＩＤが正常に認証された場合にのみ、現在の錠前やゲート３０の状態に応じた駆動制御信号をゲート駆動機構２４に送信する処理がある。なお、上記処理に関する一連の手順については、後述する処理動作の項で説明する。
【００４３】
ゲート側記憶部２３は、例えばＥＥＰＲＯＭやフラッシュメモリなどの不揮発性メモリやＤＲＡＭやＳＤＲＡＭなどの揮発性メモリを含む各種半導体メモリ、ＨＤＤなどの各種記憶装置で構成され、ゲート制御装置２０を構成する各部の駆動制御プログラムを記憶している。
【００４４】
なお、ゲート側記憶部２３には、必要に応じて、モニタ情報としての状態信号（ゲート３０の開閉状態信号や錠前の施解錠状態信号、施解錠操作履歴）などの各種データを記憶するようにしてもよい。
【００４５】
ゲート駆動機構２４は、ゲート側制御部２２からの駆動制御信号に応じて、ユーザが管理エリア内に出入する際に駆動制御対象となるゲート３０に対してゲート制御信号を出力してゲート３０を開扉状態又は閉扉状態にしたり、ゲート３０を開扉又は閉扉可能な状態にするための機構である。
【００４６】
ゲート駆動機構２４の具体的な形態例としては、ゲート３０に設けられたモータやソレノイドなどの駆動装置と錠前で構成し錠前を施錠又は解錠するべく駆動して扉枠の係止穴に対してデッドボルトを突出（施錠時）又は引き込む（解錠時）ことにより錠前を施錠又は解錠してゲート３０を開扉又は閉扉可能な状態とする形態、ゲート３０の開閉時に操作されるハンドルやノブをロック状態から開扉操作可能な状態とする形態、扉枠の電気ストライクを駆動制御してゲート３０を開閉可能な状態とする形態、既存のメカ式サムターンを電気的に回動させる後付け式の錠装置においてサムターンを施錠／解錠操作方向に回動して錠前を施解錠することでゲート３０を開扉又は閉扉状態とする形態、電動サムターンを施錠／解錠操作方向に回動して錠前の施解錠を行うことでゲート３０を開扉又は閉扉可能な状態とする形態、各種ゲート３０の開扉又は閉扉を行う形態、例えば共用部に設けられる自動ドアや回転ドアのようなユーザの進入に連動してゲート３０を開扉又は閉扉する形態などがある。
【００４７】
電源部２５は、一般的な商用電源ユニット、ボタン電池や乾電池（一次電池、二次電池を問わず）などの各種電池が着脱交換可能な電源ユニット若しくは光起電力効果を利用して太陽光や照明光などの光エネルギーを直接電力に変換する光電池モジュールの何れかで構成され、ゲート制御装置２０を構成する各部の駆動電源を適宜供給している。
【００４８】
［処理動作について］
次に、上述したゲート制御システム１における一連の処理動作について説明する。
ここでは、管理エリアをマンションとし、ハンズフリーモードによって携帯端末１０が保持する認証用ＩＤで共用エントランスのゲート３０を制御する際の処理動作である。
【００４９】
まず、ユーザは、携帯端末１０を所持した状態でゲート制御装置２０の通信範囲内に進入すると、携帯端末１０がゲート制御装置２０からの呼び掛け信号を受信する。この呼び掛け信号への応答として応答信号をゲート制御装置２０に送信し、携帯端末１０とゲート制御装置２０との間で近距離無線通信が確立する。
【００５０】
ゲート制御装置２０は、呼び掛け信号を送信した携帯端末１０からの応答信号を確認すると、携帯端末１０に対して、鍵データの送信要求を行うためのデータ要求信号を送信する。
【００５１】
携帯端末１０は、自身に設定されたセキュリティロックが最後に解除されたときからカウントするロック解除経過時間と、キー記憶部１３に記憶される追加認証要求時間とを比較し、ロック解除経過時間が追加認証要求時間を超えたか否かを判断する。
【００５２】
このとき、ロック解除経過時間が追加認証要求時間を超えたと判断したときは、セキュリティ上の観点から追加認証が必要であると判断し、ユーザに対してゲート制御用認証データの再入力（追加認証）を要求する。
【００５３】
追加認証要求した後、ゲート制御用認証データの再入力が確認されると、鍵データをゲート制御装置２０に送信し、ゲート制御装置２０において鍵データに含まれる認証用ＩＤが正常に認証された場合にのみ、現在の錠前やゲート３０の状態に応じたゲート制御信号をゲート駆動機構２４に送信する。そして、ゲート駆動機構２４は、入力したゲート制御信号に従って制御対象とするゲート３０の制御盤３１に駆動信号を出力してゲート３０の駆動を制御する。
【００５４】
一方、ロック解除経過時間が追加認証要求時間を超えていないと判断したときは、鍵データをゲート制御装置２０に送信する。次に、鍵データに含まれる認証用ＩＤが正常に認証された場合にのみ、現在の錠前やゲート３０の状態に応じたゲート制御信号をゲート駆動機構２４に送信する。そして、ゲート駆動機構２４は、入力したゲート制御信号に従って制御対象とするゲート３０の制御盤３１に駆動信号を出力してゲート３０の駆動を制御する。
【００５５】
以上説明したように、上述したゲート制御システム１は、セキュリティロックが設定された携帯端末１０を認証キーとして利用し、ゲート制御時に入力したゲート制御用認証データの再入力要求の条件として、セキュリティロックが最後に解除されたときからの経過時間（ロック解除経過時間がユーザの生活環境に応じて設定した追加認証要求時間を超えたときのみ、ユーザに対してゲート制御用認証データの再入力要求を行っている。
【００５６】
これにより、ユーザが所持する携帯端末１０に設定したセキュリティロックを最後に解除してからの経過時間であるロック解除経過時間が追加認証要求時間を経過したときにのみ、ゲート制御用認証データの再入力要求がなされるため、日常生活において携帯端末１０を通常通り使用していれば、ゲート制御用認証データを入力することなくゲート制御を行うことができる。つまり、セキュリティロックのロック解除経過時間が追加認証要求時間を超えない限りは、ゲート制御時におけるゲート制御用認証データの入力処理が不要となり、システムの利便性が格段に向上することになる。
【００５７】
また、万が一、携帯端末を紛失したとしても、セキュリティロックのロック解除経過時間が追加認証要求時間を超過している場合は、鍵データの送信が行われないため、不正な解錠を防止することができる。
【００５８】
［その他の実施形態について］
なお、本発明は上記各実施形態に限定されるものではなく、例えば以下に示すように使用環境などに応じて適宜変更して実施することもできる。また、以下の変更例を本発明の要旨を逸脱しない範囲の中で任意に組み合わせて実施することもできる。
【００５９】
上述したゲート制御システム１では、ロック解除経過時間が追加認証要求時間を超えたときに、ゲート制御用認証データの再入力要求される構成で説明したが、これに限定されることは無い。例えば、ゲート制御用認証データの再入力要求時にゲート制御用認証データを入力せずに、携帯端末１０に予め設定されているセキュリティロックが正しく解除されることでゲート制御用認証データを再度有効にする構成としてもよい。このような構成とすることで、最初のゲート制御時にゲート制御用認証データを入力すれば、それ以降、携帯端末１０に設定したセキュリティロックを必要に応じて解除するだけでよい。また、ゲート制御用認証データの内容を忘れてしまったとしても、認証情報として日々使用するセキュリティロックの解除操作を利用するため、問題なく本システムを利用することができる。
【００６０】
さらに、ゲート制御用アプリをインストールした際にゲート制御用認証データが未設定のままセキュリティロックをそのままゲート制御用認証データとして利用するように設定することもできる。この際、セキュリティ性の観点から鑑みると、セキュリティロックの解除有効時間を極力短くする（例えば数十秒から１分以下）ことが好ましい。
【００６１】
また、ゲート制御時にゲート制御用認証データの入力を行った後、セキュリティロックの解除タイミングが追加認証要求時間内に適宜行われている間は、ゲート制御用認証データの追加認証要求を行わない構成で説明したが、例えば一週間に一回や月に一回程度の頻度でゲート制御用認証データの再認証処理を追加してもよい。
【符号の説明】
【００６２】
１…ゲート制御システム
１０…携帯端末
１１…近距離無線通信部
１２…キー制御部
１３…キー記憶部
２０…ゲート制御装置
２１…情報通信部
２２…ゲート側制御部
２３…ゲート側記憶部
２４…ゲート駆動機構
２５…電源部
３０…ゲート
【図１】
2016136353.tif 000003